(57)【要約】【課題】本体部を共通として正面意匠を変更できるし、異なる機能部品を取付けできる郵便受け箱とする。【解決手段】投入口１５と取出口１６を有する箱状の本体部１の正面部に機能部品取付部１９を設け、この機能部品取付部１９に機能部品を取付けると共に、前記本体部１の正面部に正面パネル部２を取付け、この正面パネル部２で本体部１の正面部を覆った郵便受け箱とし、機能部品を取り替えたり、正面パネル部２を取り替えることで、本体部１を共通として正面意匠を変更したり、異なる機能部品を取付けできる。【選択図】図２
2008220565.tif 000002
【特許請求の範囲】
【請求項１】
投入口と取出口を有すると共に、正面部に機能部品取付部を有した箱状の本体部と、
前記本体部の正面部に取付けた正面パネル部と、
前記本体部の機能部品取付部に取付けた機能部品を備え、
前記本体部の正面部が正面パネル部で覆われていることを特徴とする郵便受け箱。
【請求項２】
正面パネル部に、機能部品と対向した開口部が形成されている請求項１記載の郵便受け箱。
【請求項３】
本体部の機能部品取付部に機能部品を正面側から取付け、取り外しできるように取付け、
前記本体部を取付体の取付用開口部に挿入して取付けた状態で、その本体部に正面パネル部を取付け、取り外しできるようにした請求項１又は２記載の郵便受け箱。
【請求項４】
本体部の正面部に、正面と下面に開口した凹陥部を形成して機能部品取付部とし、
前記本体部の正面部に取付けた正面パネル部と前記凹陥部とで下面に開口した空間部を形成した請求項１又は２又は３記載の郵便受け箱。
【請求項５】
本体部の上面板に投入口が形成されている請求項１〜４いずれか１項記載の郵便受け箱。
【発明の詳細な説明】
【技術分野】
【０００１】
本発明は、門柱、塀などに取付けられ、郵便物や新聞などを入れる郵便受け箱に関する。
【背景技術】
【０００２】
特許文献１に開示されたように、インターフォン、照明、防犯用テレビカメラ等の機能部品を取付けた郵便受け箱が提案されている。
例えば、箱状の本体と、その前面に取付けた機能部品、正面板を備えた郵便受け箱が知られている。
【特許文献１】実開平３−３２２９８号公報
【発明の開示】
【発明が解決しようとする課題】
【０００３】
前述した従来の郵便受け箱においては、機能部品が異なる場合には、その機能部品に対応した専用の郵便受け箱としているし、正面の意匠が異なる場合には、その正面の意匠に対応した専用の郵便受け箱としている。
このために、使用者の要求に対応するためには、多数の種類の郵便受け箱を製作して準備しなければならず、コストが高いものとなってしまう。
【０００４】
本発明の目的は、本体部と正面パネル部で郵便受け箱とし、その本体部を共通として正面パネル部を取り替えることによって、異なる機能部品を取付けたり、正面の意匠を変更できるようにした郵便受け箱とすることである。
【課題を解決するための手段】
【０００５】
本発明は、投入口と取出口を有すると共に、正面部に機能部品取付部を有した箱状の本体部と、
前記本体部の正面部に取付けた正面パネル部と、
前記本体部の機能部品取付部に取付けた機能部品を備え、
前記本体部の正面部が正面パネル部で覆われていることを特徴とする郵便受け箱である。
【０００６】
本発明においては、正面パネル部に、機能部品と対向した開口部が形成することができる。
このようにすれば、郵便受け箱の正面から機能部品を操作したり、機能部品を機能させることができる。
【０００７】
本発明においては、本体部の機能部品取付部に機能部品を正面側から取付け、取り外しできるように取付け、
前記本体部を取付体の取付用開口部に挿入して取付けた状態で、その本体部に正面パネル部を取付け、取り外しできるようにできる。
このようにすれば、郵便受け箱を取付体に取付けた状態で、正面パネル部を取り替えたり、機能部品を取り替えることができる。
【０００８】
本発明においては、本体部の正面部に、正面と下面に開口した凹陥部を形成して機能部品取付部とし、
前記本体部の正面部に取付けた正面パネル部と前記凹陥部とで下面に開口した空間部を形成することができる。
このようにすれば、機能部品が空間部内に位置するので、正面パネル部が機能部品のために本体部から大きく張り出すことがないから、全体をコンパクトにできる。
【０００９】
本発明においては、本体部の上面板に投入口を形成することができる。
このようにすれば、正面パネル部に投入口と対向した開口部を形成する必要がなく、その正面パネル部の大部分を正面意匠として利用できるので、正面意匠を見栄え良くできるし、そのデザインの自由度が大きい。
【発明の効果】
【００１０】
本発明によれば、本体部を共通として正面パネル部を取り替えることによって、異なる機能部品を取付けたり、正面の意匠を変更できる。
【発明を実施するための最良の形態】
【００１１】
図１、図２、図３に示すように、本発明の郵便受け箱は本体部１と正面パネル部２を備えている。
前記本体部１は上面板１０と下面板１１と正面板１２と背面板１３と左右の側面板１４で箱形状で、上面板１０に投入口１５が形成されていると共に、背面板１３に取出口１６が形成されている。
前記投入口１５は開閉自在な蓋１７で閉塞され、雨水等が投入口１５から内部に浸入しないようにしてある。
前記取出口１６は受扉１８で開閉される。
前記正面板１２には機能部品取付部１９が設けてある。
例えば、正面板１２を上部縦板１２ａと中間横板１２ｂと下部縦板１２ｃでほぼクランク形状とし、その上部縦板１２ａが側面板１４の正面側端面１４ａと面一とすると共に、下部縦板１２ｃを側面板１４の正面側端面１４ａよりも背面板１３寄りとし、その中間横板１２ｂと下部縦板１２ｃと左右の側面板１４で、本体部１の正面部に、正面と下面に開口した凹陥部１ａを形成し、その凹陥部１ａを機能部品取付部１９としてある。
【００１２】
前記正面パネル部２は、前記本体部１の正面部に取付けられる。
この正面パネル部２は本体部１の正面部の大きさよりも大きく、本体部１の正面部を覆っている。
これによって、郵便受け箱の正面の意匠は正面パネル部２の意匠となる。
したがって、本体部１を共通として意匠の異なる正面パネル部２を取り替えることで正面の意匠を変更できる。
また、異なる機能部品を取付けた時には、その機能部品に対応した形状の正面パネル部２を取付けできる。
【００１３】
この実施の形態では、本体部１の上面板１０に投入口１５を形成したので、正面パネル部２には投入口１５を形成する必要がないから、その正面パネル部２の大部分を正面意匠として利用することができ、郵便受け箱の正面の意匠を見栄え良いものとすることができるし、デザインの自由度が大きい。
つまり、本体部１の正面板１２に投入口１５を形成すると、正面パネル部２にも投入口１５と対向した大きな開口部を形成することになり、その開口部以外の小さな部分のみで意匠を表現するので、正面意匠としてのデザイン表現に乏しく、見栄えの良い意匠とすることが困難である。
【００１４】
前記本体部１の正面板１２に形成した機能部品取付部１９である凹陥部１ａは正面パネル部２で覆われ、その凹陥部１ａと正面パネル部２とで下面が開口した空間部を形成している。
【００１５】
前記正面パネル部２は、複数のパネルを備えている。
例えば、上パネル２０と中間パネル２１と下パネル２２を係脱自在に係合して連結し、その上パネル２０、中間パネル２１、下パネル２２の左右端部を左右の保持枠材２３をそれぞれ嵌め込んでビスで固着することで正面パネル部２としてある。
このようであるから、上パネル２０、中間パネル２１、下パネル２２のいずれか１つ、又は２つを意匠の異なるパネルと取り替えることで正面パネル部２の意匠を変更できる。
【００１６】
この実施の形態では、機能部品がインターフォン２４で、中間パネル２１にインターフォン２４が露出する開口部２５が形成してあると共に、表札２６が設けてある。
前記機能部品取付部１９は、下部縦板１２ｃに支持プレート１９ａを設け、この支持プレート１９ａに取付用ブロック１９ｂを支持してビス等で下部縦板１２ｃに固着し、その取付用ブロック１９ｂにインターフォン２４がビス等で固着して取付けてある。
【００１７】
また、機能部品であるインターフォン２４は正面板１２の下部縦板１２ｃと正面パネル部２との間、つまり空間部に位置しているので、正面パネル部２はインターフォン２４のために本体部１から大きく張り出すことがなく、全体をコンパクトにできる。
【００１８】
また、機能部品であるインターフォン２４は、正面パネル部２を取り外すことで、本体部１の正面側から取付け、取り外しできるようにしてある。
【００１９】
前記本体部１内には敷板３０が着脱自在に取付けてある。
この敷板３０は、取出口１６の下部から投入口１５まで連続し、投入口１５から投入された郵便物等を取出口１６の近くまでスムーズに滑り落ちるようにしている。
例えば、敷板３０は取付片３１と横板３２と斜めの縦板３３を有し、その取付片３１を下面板１１にビス３４で固着して取付け、前記縦板３３の上部が投入口１５と対向している。
前記正面板１２の機能部品取付部１９を形成する部品（下部縦板１２ｃ）と敷板３０との間には配線用の空間部１ｂが形成され、この空間部１ｂは下面板１１の開口１１ａから外部に開口している。
【００２０】
前記蓋１７はピン３５で上面板１０に上下回動自在に取付けてあり、上方に回動して縦向きとすることで投入口１５を開放し、下方に回動して横向きとすることで投入口１５を閉じる。
また、蓋１７を閉じた状態で投入口１５の開口縁と蓋１７との間をシール材３６で水密している。
前記受扉１８にはロック部材３７が取付けてあり、このロック部材３７を回転してロック受け３８に接することで受扉１８が開かないようにロックし、そのロック受け３８と離脱することで受扉１８をピン３９を支点として上方に回動して取出口１６を開放できるようにしてある。
【００２１】
次に、前記正面パネル部２の取付けについて説明する。
前記本体部１の正面には、上部取付穴４０と下部取付片４１が設けてあり、この下部取付片４１には上面に開口した溝４２が形成してある。
前記上部取付穴４０は上大径穴４０ａと下小径穴４０ｂを有しただるま形状である。
例えば、正面板１２の上部縦板１２ａの左右両側寄りに上部取付穴４０を形成し、左右の側面板１４の正面側端面１４ａに下部取付片４１を設けてある。この下部取付片４１は前記凹陥部１ａに位置する。
前記正面パネル部２の背面（正面板１２と対向する面）の上部寄りと下部寄りに上部取付ビス４３と下部取付ビス４４を螺合して取付ける。
前記正面パネル部２を持って上部取付ビス４３を上部取付穴４０の上大径穴４０ａに挿入すると共に、下部取付ビス４４を下部取付片４１の溝４２と対向させ、その状態で正面パネル部２を下げて上部取付ビス４３を上部取付穴４０の下小径穴４０ｂに嵌め込むと共に、下部取付ビス４４を下部取付片４１の溝４２に嵌め込んで正面パネル部２を仮取付けする。
【００２２】
前述の状態で本体部１の取出口１６から手を入れて上部取付ビス４３を締め付けて固着する。
この時、敷板３０が邪魔であれば、その敷板３０を取り外す。
前記空間部に手を入れて下部取付ビス４４を締め付けて固着する。
このようであるから、正面パネル部２を簡単に本体部１に取付けできる。
【００２３】
次に、郵便受け箱を門柱、塀などの取付体に取付ける手順を説明する。
図４（ａ）に示すように取付体５０、例えばコンクリートブロックを積み重ねた塀に取付用開口部５１を正面と背面に貫通して形成する。
前記取付用開口部５１は本体部１が若干の隙間を置いて挿通する大きさで、その左右の縦内面５１ａにボルト螺合用のアンカー５２を取付ける。
このアンカー５２は図２に示すように本体部１の左右の側面板１４に形成した取付用穴５３と位置合わせして取付ける。
【００２４】
図４（ｂ）に示すように、本体部１を受扉１８を開放した状態で取付体５０の正面側から取付用開口部５１内に挿入する。この時は敷板３０は取付けていない。
そして、アンカー５２と取付用穴５３を位置合わせし、本体部１の取出口１６から内部に手を入れて取付用ボルトを取付用穴５３からアンカー５２に螺合して本体部１を図４（ｃ）に示すように取付体５０に取付ける。
前述のように本体部１を取付体５０に取付けた状態で、その本体部１の正面部が取付体５０の正面から突出し、図４（ｄ）に示すように正面パネル部２を取付ける時に取付体５０が邪魔にならないようにしてある。
この実施の形態では投入口１５が上面板１０に形成してあるので、その投入口１５（蓋１７）が取付体５０の正面から突出するようにしてある。
【００２５】
取付体５０内に挿通して取付用開口部５１内に突出した配線を、下面板１１の開口１１ａから本体部１内に挿入してインターフォン（機能部品）に接続する。
【００２６】
図４（ｄ）に示すように、本体部１の正面部に正面パネル部２を前述したように取付ける。
この後に敷板３０を本体部１の内部に前述のように取付ける。
このように、敷板３０を最後に取付ける場合には、本体部１の背面部を取付体５０の背面から突出させ、敷板３０を取付けるビス３４を取付体４０が邪魔にならずに容易に螺合できるようにする。
【００２７】
最後に、取付用開口部５１と本体部１との間の隙間を目地材等で埋めて郵便受け箱の取付が完了する。
【００２８】
前述のようにして郵便受け箱を取付体５０に取付けた状態で、正面パネル部２を取り外すことができるし、再び正面パネル部２取付けできる。
したがって、郵便受け箱を取付体５０に取付けた後に、その正面パネル部２を取り替えて正面の意匠を変えることができる。
【００２９】
また、郵便受け箱を取付体５０に取付けた後に、正面パネル部２を取り外すことで、機能部品を取り外したり、取付けたりできるから、機能部品を取り替えることが可能である。
【００３０】
前述の実施の形態では投入口１５を上面板１０に形成したが、正面板１２に形成しても良い。
例えば、図５に示すように正面板１２の上部縦板１２ａに投入口１５を形成し、正面パネル部２の上パネル２０に投入用開口６０を形成する。
前記投入口１５の周縁に枠６１を取付け、この枠６１に蓋６２を開閉自在に取付ける。
【００３１】
また、図６に示すように、正面板１２の上部縦板１２ａの投入口１５の開口縁に筒状の内側突部６３を設け、正面パネル部２の上パネル２０の投入用開口６０の開口縁に筒状の外側突部６４を設け、その外側突部６４を内側突部６３の外周に嵌め合わせると共に、投入用開口６０に蓋６２を開閉自在に取付ける。
このようにすれば、正面パネル部２と正面板１２との間に浸入した雨水等は外側突部６４に沿って下方に流れるので、投入口１５から内部に浸入することがない。
【図面の簡単な説明】
【００３２】
【図１】本発明の実施の形態を示す郵便受け箱の正面図である。
【図２】図１のＡ−Ａ断面図である。
【図３】図１のＢ−Ｂ断面図である。
【図４】郵便受け箱の取付け手順の説明図である。
【図５】投入口を正面板に形成した第１の実施の形態の断面図である。
【図６】投入口を正面板に形成した第２の実施の形態の断面図である。
【符号の説明】
【００３３】
１…本体部、２…正面パネル部、１０…上面板、１１…下面板、１２…正面板、１３…背面板、１４…側面板、１５…投入口、１６…取出口、１７…蓋、１８…受扉、１９…機能部品取付部、２４…インターフォン（機能部品）、３０…敷板、５０…取付体、５１…取付用開口部、５２…アンカー、５３…取付用穴。
【図１】
2008220565.tif 000003
【図２】
2008220565.tif 000004
【図３】
2008220565.tif 000005
【図４】
2008220565.tif 000006
【図５】
2008220565.tif 000007
【図６】
2008220565.tif 000008